(57)【要約】      （修正有）【課題】放送内容に応じて、放送を容易に制御する放送制御装置、放送制御方法、及び放送制御プログラムを提供する。【解決手段】放送制御装置１は、音声情報を受信する受信部１２と、音声情報を文字からなるテキスト情報に変換するテキスト情報変換部１４と、音声情報を送信する送信先を示す放送エリアと所定のキーワードとを対応づけたテーブルに基づき、音声情報のテキスト情報から所定のキーワードを検索するキーワード検索部１５と、検索されたキーワードがテキスト情報に含まれるときには、そのキーワードに対応する放送エリアに基づき、音声情報を送信する送信先を選択する送信制御部１６とを備える。【選択図】図１
2020022043.tif 000002
【特許請求の範囲】
【請求項１】
音声情報を受信する受信部と、
前記音声情報を文字からなるテキスト情報に変換するテキスト情報変換部と、
音声情報を送信する送信先を示す放送エリアと所定のキーワードとを対応づけたテーブルに基づき、音声情報の前記テキスト情報から所定のキーワードを検索するキーワード検索部と、
検索されたキーワードが前記テキスト情報に含まれるときには、そのキーワードに対応する放送エリアに基づき、音声情報を送信する送信先を選択する送信制御部と、
を備える放送制御装置。
【請求項２】
所定の期間内に複数の音声情報が入力された場合には、複数の音声情報からいずれかの音声情報を選択する優先放送設定部と、
を備え、
前記テーブルは、前記放送エリアと、所定のキーワードと、優先して音声情報を送信する度合いを示す優先度と、を対応づけたテーブルであり、
前記優先放送決定部は、検索されたキーワードが前記テキスト情報に含まれるときには、そのキーワードに対応する優先度に基づき、複数の音声情報からいずれかの音声情報を選択し、
前記送信制御部は、選択された音声情報の前記テキスト情報に検索されたキーワードが含まれるときには、そのキーワードに対応する放送エリアに基づき、選択された音声情報を送信する送信先を選択する、
請求項１に記載の放送制御装置。
【請求項３】
前記優先放送決定部は、音声情報のテキスト情報に同じ所定のキーワードが複数存在する場合には、そのキーワードに対応する優先度を増加させる
請求項２に記載の放送制御装置。
【請求項４】
音声情報を受信する受信ステップと、
前記音声情報を文字からなるテキスト情報に変換するテキスト情報変換ステップと、
音声情報を送信する送信先を示す放送エリアと所定のキーワードとを対応づけたテーブルに基づき、音声情報の前記テキスト情報から所定のキーワードを検索するキーワード検索ステップと、
検索されたキーワードが前記テキスト情報に含まれるときには、そのキーワードに対応する放送エリアに基づき、音声情報を送信する送信先を選択する送信制御ステップと、
を有する放送制御方法。
【請求項５】
音声情報を受信する受信ステップと、
前記音声情報を文字からなるテキスト情報に変換するテキスト情報変換ステップと、
音声情報を送信する送信先を示す放送エリアと所定のキーワードとを対応づけたテーブルに基づき、音声情報の前記テキスト情報から所定のキーワードを検索するキーワード検索ステップと、
検索されたキーワードが前記テキスト情報に含まれるときには、そのキーワードに対応する放送エリアに基づき、音声情報を送信する送信先を選択する送信制御ステップと、
をコンピュータに実行させる放送制御プログラム。
【発明の詳細な説明】
【技術分野】
【０００１】
本発明は、放送制御装置、放送制御方法、及び放送制御プログラムに関する。
【背景技術】
【０００２】
所定の端末により放送内容を設定し、放送設備を介して、その内容を複数のスピーカから放送する放送システムがある。放送設備は、設定に応じてスピーカの音量や放送時間など種々の制御を行う。
【先行技術文献】
【特許文献】
【０００３】
【特許文献１】特開平６−１２５３１７号公報
【発明の概要】
【発明が解決しようとする課題】
【０００４】
放送内容によっては、放送させるスピーカを選択したい場合がある。一方で、所定の端末などにより、放送させるスピーカを選択する場合、設置されたスピーカの数が多い場合には、操作が煩雑となる。
【０００５】
また、同じようなタイミングで放送したい放送内容が複数あった場合に、優先すべき放送内容を選択することが煩雑になる場合もある。
【０００６】
本発明は、放送内容に応じて、放送を容易に制御する放送制御装置、放送制御方法、及び放送制御プログラムを提供することを目的とする。
【課題を解決するための手段】
【０００７】
本発明にかかる放送制御装置は、音声情報を受信する受信部と、前記音声情報を文字からなるテキスト情報に変換するテキスト情報変換部と、音声情報を送信する送信先を示す放送エリアと所定のキーワードとを対応づけたテーブルに基づき、音声情報の前記テキスト情報から所定のキーワードを検索するキーワード検索部と、検索されたキーワードが前記テキスト情報に含まれるときには、そのキーワードに対応する放送エリアに基づき、音声情報を送信する送信先を選択する送信制御部とを備える。
【０００８】
本発明にかかる放送制御方法は、音声情報を受信する受信ステップと、前記音声情報を文字からなるテキスト情報に変換するテキスト情報変換ステップと、音声情報を送信する送信先を示す放送エリアと所定のキーワードとを対応づけたテーブルに基づき、音声情報の前記テキスト情報から所定のキーワードを検索するキーワード検索ステップと、検索されたキーワードが前記テキスト情報に含まれるときには、そのキーワードに対応する放送エリアに基づき、音声情報を送信する送信先を選択する送信制御ステップとを有する。
【０００９】
本発明にかかる放送制御プログラムは、音声情報を受信する受信ステップと、前記音声情報を文字からなるテキスト情報に変換するテキスト情報変換ステップと、音声情報を送信する送信先を示す放送エリアと所定のキーワードとを対応づけたテーブルに基づき、音声情報の前記テキスト情報から所定のキーワードを検索するキーワード検索ステップと、検索されたキーワードが前記テキスト情報に含まれるときには、そのキーワードに対応する放送エリアに基づき、音声情報を送信する送信先を選択する送信制御ステップとをコンピュータに実行させる。
【発明の効果】
【００１０】
本発明の放送制御装置、放送制御方法、及び放送制御プログラムによれば、放送内容によって、放送させるスピーカを容易に選択することができる。
【図面の簡単な説明】
【００１１】
【図１】第１実施形態における放送制御システムを示すブロック図である。
【図２】音声情報を送信するスピーカを選択する処理方法のフローチャートである。
【図３】第１実施形態の処理方法に用いられるテーブルＡである。
【図４】第２実施形態における放送制御システムを示すブロック図である。
【図５】音声情報を選択する処理方法のフローチャートである。
【図６】第２実施形態の処理方法に用いられるテーブルＢである。
【発明を実施するための形態】
【００１２】
以下、各実施形態の放送制御装置、放送制御方法、及び放送制御プログラムについて、添付図面を参照して説明する。
【００１３】
＜第１実施形態＞
図１は、第１実施形態に係る放送制御システムの構成を示す。放送制御システムは、放送制御装置１と、音声入力装置２と、音声入力装置３と、スピーカ４と、スピーカ５と、スピーカ６とを備える。なお、説明の便宜上、音声入力装置２と、音声入力装置３とを備えるとしたが２つの音声入力装置に限定されない。音声入力装置は、３つ以上であってもよく、または１つであってもよい。さらに、説明の便宜上、スピーカ４と、スピーカ５と、スピーカ６とを備えるとしたが３つのスピーカに限定されない。スピーカは、１つや２つであってもよく、または４つ以上であってもよい。
【００１４】
放送制御装置１は、音声入力装置１、２から送信された音声情報により、または、操作部１１の入力により、音声情報を送信するスピーカを選択し、選択したスピーカに対して、音声情報を送信する。放送制御装置１は、操作部１１と、受信部１２と、切替制御部１３と、テキスト変換部１４と、キーワード検索部１５と、送信制御部１６と、記録部１７と、送信部１８とを備える。
【００１５】
操作部１１には、音声情報に基づき音声情報を送信するスピーカを選択する機能のオンとオフと切り替える指示情報が入力される。また、操作部１１には、音声情報を送信するスピーカを選択する送信先情報が入力される。操作部１１は、入力された指示情報または送信先情報を切替制御部１３へ供給する。操作部１１は、例えば、タッチパネルであるが、これに限定されない。キーボード、マウス、ボタン、レバー、または音声を入力するマイク及び音声認識を行うＣＰＵなどから構成される音声による指示が可能なユーザインターフェイスなどであってもよい。
【００１６】
受信部１２は、音声入力装置２、３から、ケーブルを介して、音声情報を受信する。受信部１２は、受信した音声情報を切替制御部に供給する。なお、ケーブルを介して、音声情報を受信するとしたが、これに限定されない。Ｗｉ−Ｆｉ（登録商標）やＢＬＵＥＴＯＯＴＨ（登録商標）など無線通信の伝送路を介して、音声情報を受信してもよい。受信部１２は、例えばＡ／Ｄコンバータや、無線通信を受信するアンテナである。
【００１７】
切替制御部１３は、音声情報に基づき音声情報を送信するスピーカを選択する機能のオンとオフとを切り替える。切替制御部１３は、供給された指示情報及び送信先情報を送信制御部１６へ供給する。また、切替制御部１３は、操作部１１から供給された指示情報がオンを示す場合には、受信部から供給された音声情報をテキスト変換部１４、記録部１７へ供給する。また、切替制御部１３は、操作部１１から供給された指示情報がオフを示す場合には、受信部から供給された音声情報を送信部１８へ供給する。このような構成により、指示情報がオフの場合に、放送制御装置１はリアルタイムに音声情報を送信できる。
【００１８】
テキスト変換部１４は、切替制御部１３から供給された音声情報を所定の音声解析によりテキスト情報に変換する。テキスト変換部１４は、変換したテキスト情報をキーワード検索部１５に供給する。テキスト情報とは、文字からなる情報である。より具体的には、テキスト情報とは、音声情報を所定の音声解析により文字コードに変換した情報である。所定の音声解析とは、例えば、テキスト変換部１４は、音声情報から時間毎の振幅波形（音声波形）を検出する。そして、テキスト変換部１４は、振幅と文字との関係を示したテーブルに基づき、時間毎の振幅をそれぞれ文字コードに置き換えることで、音声情報をテキスト情報に変換する。ただし、テキスト変換部１４は、音声情報をテキスト情報に変換できるものであれば、変換の方法は任意である。
【００１９】
キーワード検索部１５は、テキスト変換部１４から供給されたテキスト情報から、テーブルに含まれるキーワードを検索する。なお、テーブルは、キーワードと放送エリアとを対応づけたテーブルであるが、詳細については後述する。キーワード検索部１５は、テキスト情報に含まれるキーワードと対応する放送エリアを送信制御部１６に供給する。放送エリアとは、送信部１８が音声情報を送信するスピーカなどの送信先を示す情報である。なお、テキスト情報からキーワードを検索する方法は、種々の技術を適用させればよく、その方法は任意である。
【００２０】
送信制御部１６は、テキスト情報に検索されたキーワードが含まれるときには、そのキーワードに対応する放送エリアに基づき、音声情報を送信する送信先を選択する。より具体的には、送信制御部１６は、キーワード検索部１５から放送エリアを取得したときには、その放送エリアに基づき切替制御部１３から供給された送信先情報を変更して、変更した送信先情報を送信部１８へ供給する。送信制御部１６は、テキスト情報に検索されたキーワードが含まれないとき、または、指示情報がオフのときには、切替制御部１３から供給された送信先情報を送信部１８へ供給する。
【００２１】
さらに、送信制御部１６は、指示情報がオンの場合には、記録部１７に記録された音声情報を送信部１８へ供給することを命令する命令情報を生成し、記録部１７に供給する。
【００２２】
上述した切替制御部１３、テキスト変換部１４、キーワード検索部１５、送信制御部１６は、例えば、ＣＰＵ、ＲＯＭ、ＲＡＭなどによって構成される。ＲＯＭには、切替制御部１３、テキスト変換部１４、キーワード検索部１５、送信制御部１６における各機能をＣＰＵが実行するために必要なプログラム、アプリケーションなどが記録されている。また、ＲＡＭは、ＣＰＵの各機能を実行する際のワークエリアとして機能する。なお、切替制御部１３、テキスト変換部１４、キーワード検索部１５、送信制御部１６は、ＣＰＵのみによって構成されてもよい。
【００２３】
記録部１７は、送信制御部１６から供給された命令情報に基づき、記録された音声情報を送信部１８へ供給する。記録部１７は、例えば、ハードディスク、フレキシブルディスク、光ディスク、光磁気ディスク、ＣＤ−Ｒ／RW、ＤＶＤ±R／ＲW、磁気テープ、不揮発性のメモリカード、ＲAＭ、ＥＥＰＲＯＭ、シリコンディスク、ソリッドステートドライブなど用いることができる。
【００２４】
送信部１８は、送信制御部１６から供給された送信先情報に基づき、ケーブルを介して、選択されたスピーカへ音声情報を送信する。なお、ケーブルを介して、音声情報を送信するとしたが、これに限定されない。Ｗｉ−ＦｉやＢＬＵＥＴＯＯＴＨなど無線通信の伝送路を介して、音声情報を送信してもよい。送信部１８は、例えばＤ／Ａコンバータや、無線通信を送信するアンテナである。
【００２５】
音声入力装置２、３は、入力された音声情報を放送制御装置１に送信する。音声入力装置２、３は、ユーザが操作を入力する端末操作部（図示せず）、ユーザが音声情報を入力するマイク（図示せず）と、音声情報の入力や音声情報の送信など全体的な制御を行う端末制御部（図示せず）、音声情報を送信する音声情報送信部（図示せず）とを少なくとも備える。
【００２６】
スピーカ４、５、６は、放送制御装置から音声情報を受信し、音声情報に基づき音声を出力する。スピーカ４、５、６は、音声情報を受信する音声情報受信部（図示せず）と、音声情報の受信や音声の出力など全体的な制御を行う端末制御部（図示せず）、音声情報に基づく音声を出力する音声出力部（図示せず）とを少なくとも備える。
【００２７】
第１実施形態の放送制御システムの構成は以上の通りである。以下、切替制御部１３、テキスト変換部１４、キーワード検索部１５、送信制御部１６による音声情報に基づき音声情報を送信するスピーカを選択する処理方法を図２のフローチャートに基づき説明する。
【００２８】
図２は、第１実施形態による音声情報に基づき音声情報を送信するスピーカを選択する処理工程を示すフローチャートである。切替制御部１３は、操作部１１から供給された指示情報及び送信先情報を送信制御部１６に供給する（ステップＳ２０１）。
【００２９】
切替制御部１３は、操作部１１から供給された指示情報が、音声情報に基づき音声情報を送信するスピーカを指定する機能のオンを示すか否かを判定する（ステップＳ２０２）。
【００３０】
切替制御部１３は、指示情報がオンを示す場合（ステップS２０２  Ｙｅｓ）、音声情報をテキスト変換部１４及び記録部１７に供給する（ステップＳ２０３）。
【００３１】
切替制御部１３は、指示情報がオン以外を示す場合、すなわちオフを示す場合（ステップS２０２  Ｎｏ）、音声情報を送信部１８に供給する（ステップＳ２０４）。
【００３２】
記録部１７は、供給された音声情報を記録する（ステップＳ２０５）。
【００３３】
テキスト変換部１４は、切替制御部１３から供給された音声情報を所定の音声解析によりテキスト情報に変換する（ステップＳ２０６）。
【００３４】
キーワード検索部１５は、記憶されたキーワードと放送エリアとを対応づけたテーブルを読み出す（ステップＳ２０７）。
【００３５】
ここで、図３を用いて、キーワードと放送エリアとを対応づけたテーブルの一例を説明する。図３の例では、テーブルＡにキーワードである「校長室」、「教員室」、「教室」が示されている。このテーブルＡでは、キーワードである「校長室」と放送エリアである「スピーカ４」とが対応づけられている。またこのテーブルＡでは、キーワードである「教員室」と放送エリアである「スピーカ５」とが対応づけられている。さらに、キーワードである「教室」と放送エリアである「スピーカ４、スピーカ５、スピーカ６」とが対応づけられている。テーブルＡは、１つのキーワードに対して１つの放送エリアを対応づけてもよく、また、１つのキーワードに対して複数の放送エリアを対応づけてもよい。
【００３６】
フローチャートの説明に戻る。キーワード検索部１５は、テキスト変換部１４から供給されたテキスト情報の中から、テーブルに示されたキーワードを検索する（ステップＳ２０８）。
【００３７】
キーワード検索部１５は、テキスト情報に検索したキーワードが含まれる場合には（ステップS２０８  Ｙｅｓ）、キーワードに対応する放送エリアを送信制御部１６に供給する（ステップＳ２０９）。テキスト情報に検索したキーワードが含まれない場合には（ステップS２０８  Ｎｏ）、ステップＳ２１１に進む。
【００３８】
一例として、テキスト変換部１４で音声情報から変換されたテキスト情報が「校長室への連絡。校長先生は至急ロビーまで起こし下さい。」であったとする。キーワード検索部１５は、テキスト情報である「校長室への連絡。校長先生は至急ロビーまで起こし下さい。」の中から、テーブルＡに含まれるキーワードである「校長室」、「教員室」、「教室」を検索する。テキスト情報に検索したキーワードである「校長室」が含まれるので、キーワード検索部１５は「校長室」に対応する「スピーカ４」を示す放送エリアを送信制御部１６に供給する。
【００３９】
テキスト変換部１４で音声情報から変換されたテキスト情報が「校長先生はロビーまで起こし下さい。」であった場合、テーブルＡのキーワードが含まれない。この場合、テキスト検索部１５はキーワードが含まれないことを示す情報を送信制御部１６に供給する。
【００４０】
送信制御部１６は、キーワード検索部１５から供給された放送エリアに基づき、切替制御部１３から供給された送信先情報を変更する（ステップＳ２１０）。例えば、切替制御部１３から取得した送信先情報が「スピーカ５、スピーカ６」である場合に、送信制御部１６は、取得した放送エリア「スピーカ４」に基づき、送信先情報を「スピーカ４」に変更する。なお、送信先情報の変更はこれに限定されない。例えば、切替制御部１３から取得した送信先情報が「スピーカ５、スピーカ６」である場合に、送信制御部１６は、取得した放送エリア「スピーカ４」に基づき、送信先情報「スピーカ４、スピーカ５、スピーカ６」に変更してもよい。つまり、取得した放送エリアを送信先情報に追加してもよい。なお、送信制御部１６は、キーワード検索部１５からキーワードが含まれないことを示す情報を供給された場合には、切替制御部１３から供給された送信先情報を変更しない。
【００４１】
送信制御部１６は、切替制御部１３から供給された送信先情報または変更した送信先情報を送信部１８へ供給する（ステップＳ２１１）。
【００４２】
送信制御部１６は、指示情報がオンを示す場合には（ステップＳ２１２  Ｙｅｓ）、記録部１７に記録された音声情報を送信部１８へ供給することを命令する命令情報を記録部１７に供給する（ステップＳ２１３）。送信制御部１６は、指示情報がオン以外を示す場合、つまりオフを示す場合（ステップＳ２１２  Ｎｏ）、処理を終了する。
【００４３】
以上のように、本実施形態の放送制御装置は、音声情報を受信する受信部と、前記音声情報を文字からなるテキスト情報に変換するテキスト情報変換部と、音声情報を送信する送信先を示す放送エリアと所定のキーワードとを対応づけたテーブルに基づき、音声情報の前記テキスト情報から所定のキーワードを検索するキーワード検索部と、検索されたキーワードが前記テキスト情報に含まれるときには、そのキーワードに対応する放送エリアに基づき、音声情報を送信する送信先を選択する送信制御部とを備える。
【００４４】
本実施形態の放送制御装置によれば、放送内容である音声情報に基づき、音声情報を送信するスピーカを指定し、指定したスピーカに対して、音声情報を送信することができるので、多数のスピーカが設置されている場合であっても、簡易にスピーカを指定することが可能となる。
【００４５】
＜第２実施形態＞
次に、第２実施形態に係る放送制御システムについて説明する。図４は、第２実施形態に係る放送制御システムの構成を示す。図５は、第２実施形態に係るフローチャートを示す。図６は、第２実施形態において用いられるテーブルの一例を示す。なお、第１実施形態と同一の構成及びステップについては、同一の符号を付して説明を省略する。
【００４６】
第２実施形態に係る放送制御システムは、放送制御装置１Ｂが第１実施形態の放送制御装置１と異なる。具体的には、放送制御装置１Ｂは、複数の音声情報が所定の期間内に入力された場合に、キーワード、放送エリア及び優先度を対応づけたテーブルを用いて、複数の音声情報のうち、優先して出力する音声情報を決定する。
【００４７】
切替制御部１３Ｂは、受信部１２から音声情報を供給されたときに、音声情報が供給されたことを示す音声供給情報を優先放送設定部１９へ供給する。
【００４８】
優先放送決定部１９は、複数の音声情報が所定の期間内に入力された場合に、キーワード、放送エリア及び優先度を対応づけたテーブルを用いて、複数の音声情報のうち、優先して出力する音声情報を決定する。なお、優先度とは、複数の音声情報のうち、所定の音声情報を他の音声情報より先に送信するか否かの度合いを示す情報である。優先放送決定部１９は、優先放送情報を送信制御部１６へ供給する。ここで優先放送情報とは、テキスト情報に変換された音声情報を識別する識別子、放送エリア、優先度から構成される情報である。
【００４９】
送信制御部１６Ｂは、優先放送情報に格納された放送エリアに基づき、送信先情報を変更する。また、送信制御部１６Ｂは、指示情報がオンの場合には、記録部１７に記録された複数の音声情報のうち、優先放送情報に格納された識別子に対応する音声情報を送信部１８へ供給することを命令する命令情報を生成し、記録部１７に供給する。
【００５０】
第２実施形態の放送制御システムの構成は以上の通りである。以下、第２実施形態における処理工程を図５のフローチャートに基づき説明する。なお、第１実施形態と比較して第２実施形態は、ステップS４０１からステップS４１０が異なる。
【００５１】
キーワード検索部１５は、所定のキーワードと放送エリアと優先度とを対応づけたテーブルを読み出す（ステップS４０１）。
【００５２】
ここで、図６を用いて、キーワードと放送エリアと優先度とを対応づけたテーブルの一例を説明する。図４の例では、テーブルＢにキーワードである「校長室」、「教員室」、「教室」が示されている。このテーブルＢでは、キーワードである「校長室」と、放送エリアである「スピーカ４」と、優先度として「４」が対応づけられている。またこのテーブルＢでは、キーワードである「教員室」と、放送エリアである「スピーカ５」と、優先度として「３」が対応づけられている。さらに、キーワードである「教室」と、放送エリアである「スピーカ４、スピーカ５、スピーカ６」と、優先度として「２」が対応づけられている。
【００５３】
キーワード検索部１５は、テキスト変換部１４から供給されたテキスト情報の中から、テーブルに示されたキーワードを検索する（ステップS４０２）。
【００５４】
優先放送決定部１９は、テキスト情報に検索したキーワードが含まれる場合には（ステップＳ４０２  Ｙｅｓ）、テキスト情報に、そのキーワードの放送エリアと優先度とを関連づける（ステップS４０３）。
【００５５】
一例として、テキスト変換部１４は、音声入力装置２で入力された第１の音声情報を第１のテキスト情報に変換する。第１のテキスト情報は「教員室への連絡。本日の集会は１６時に変更致します。」であったとする。キーワード検索部１５は、第１のテキスト情報である「教員室への連絡。本日の集会は１６時に変更致します。」の中から、テーブルＢに含まれる「校長室」、「教員室」、「教室」を検索する。第１のテキスト情報に検索したキーワードである「教員室」が含まれるので、優先放送決定部１９は、第１のテキスト情報に、「教員室」に対応づけられた放送エリアである「スピーカ５」と優先度「３」とを関連づける。
【００５６】
優先放送決定部１９は、テキスト情報に検索したキーワードが含まれない場合には（ステップＳ４０２  Ｎｏ）、テキスト情報に、「変更なし」を示す情報が設定された放送エリアと、「１」が設定された優先度とを関連づける（ステップS４０４）。
【００５７】
優先放送決定部１９は、優先放送情報に設定された優先度より、テキスト情報に関連づけられた優先度が大きいか否かを判定する（ステップS４０５）。なお、優先放送情報の優先度の初期値は「０」が設定されている。優先放送情報に設定される識別子、放送エリアの初期値はなんでもよく、初期値を示す値や情報が入力されていればよい。なお、優先放送情報の優先度の初期値は、テキスト情報に検索したキーワードが含まれない場合にテキスト情報に関連づける値（上述の例では１）よりも小さい値であればよい。なお、所定のキーワードと放送エリアと優先度とを対応づけたテーブルに設定される優先度は、テキスト情報に検索したキーワードが含まれない場合にテキスト情報に関連づける値（上述の例では１）よりも大きな値であればよい。
【００５８】
優先放送決定部１９は、優先放送情報に設定された優先度より、テキスト情報に関連づけられた優先度が大きい場合には（ステップＳ４０５  Ｙｅｓ）、優先放送情報に、テキスト情報に変換された音声情報を識別する識別子、テキスト情報に関連づけられた放送エリア、優先度を設定する（ステップS４０６）。
【００５９】
優先放送決定部１９は、優先放送情報に設定された優先度より、テキスト情報に関連づけられた優先度が小さい場合には（ステップＳ４０５  Ｎｏ）、ステップS４０７に進む。
【００６０】
一例として、優先放送情報には初期値が設定されており、優先放送情報の識別子には音声情報はないことを示す値または情報、放送エリアには放送エリアはないこと示す値または情報、優先度には０が設定されている。または、第１のテキスト情報には優先度３が関連づけられている。優先放送決定部１９は、優先放送情報の優先度０より、第１のテキスト情報に関連づけられた優先度３が大きいと判定する。この場合、優先放送決定部１９は、優先放送情報に、第１のテキスト情報に変換された第１の音声情報を識別する「第１の識別子」、テキスト情報に関連づけられた放送エリアである「スピーカ５」、優先度「３」を設定する。
【００６１】
優先放送決定部１９は、切替制御部１３Bから供給された音声供給情報に基づき、所定の期間内（例えば３０秒内）に、複数の音声情報を受信したか否かを判定する（ステップS４０７）。
【００６２】
優先放送決定部１９は、所定の期間内に、複数の音声情報を受信しなかった場合に（ステップＳ４０７  Ｎｏ）、優先放送情報を送信制御部１６Bへ供給する（ステップS４０８）。
【００６３】
優先放送決定部１９は、所定の期間内に、複数の音声情報を受信した場合に（ステップＳ４０７  Ｙｅｓ）、ステップS２０３に戻る。これにより、所定の期間内に、２以上の音声情報を受信した場合に、それぞれの音声情報の優先度を比較することができる。
【００６４】
送信制御部１６Bは、優先放送決定部１９から供給された優先放送情報に設定されたエリア情報に基づき、切替制御部１３Bから供給された送信先情報を変更する（ステップS４０９）。
【００６５】
ここで一例を説明する。優先放送決定部１９は、音声入力装置３から受信した第２の音声情報が切替制御部１３に供給されたことを示す音声供給情報に基づき、３０秒間に、第１の音声情報と第２の音声情報とを受信したと判定する。この場合、上述したステップS２０３に戻り、切替制御部１３Bは、第２の音声情報をテキスト変換部１４及び記録部１７へ供給する。テキスト変換部１４は、第２の音声情報を第２のテキスト情報に変換する。ここで、第２のテキスト情報は、「校長室への連絡。校長先生は至急ロビーまで起こし下さい。」とする。キーワード検索部１５は、第２のテキスト情報の中から、テーブルＢに含まれる「校長室」、「教員室」、「教室」を検索する。優先放送決定部１９は、第２のテキスト情報に検索したキーワードである「校長室」が含まれるので、優先放送決定部１９は、第２のテキスト情報に、「校長室」に対応づけられた放送エリアである「スピーカ４」と優先度「４」とを関連づける。
【００６６】
優先放送情報には、第１のテキスト情報に基づき、優先度「３」が設定されている。優先放送決定部１９は、優先放送情報の優先度「３」より、第２のテキスト情報に関連づけられた優先度「４」が大きいと判定する。この場合、優先放送決定部１９は、優先放送情報に、第２のテキスト情報に変換された第２の音声情報を識別する「第２の識別子」、テキスト情報に関連づけられた放送エリアである「スピーカ４」、優先度「４」を設定する。
【００６７】
優先放送決定部１９は、３０秒間内に、次の音声情報を受信しなかったと判定した場合には、「第２の識別子」、「スピーカ４」、優先度「４」が設定された優先放送情報を送信制御部１６Bへ供給する。
【００６８】
フローチャートの説明に戻る。ステップS２１１、ステップS２１２を経て、送信制御部１６Bは、指示情報がオンを示す場合には、優先放送情報の識別子で識別される音声情報に対する命令情報を記録部１７に供給する（ステップＳ４１０）。
【００６９】
一例では、送信制御部１６Bは、優先放送情報の第２の識別子で識別される第２の音声情報に対する命令情報を記録部１７へ供給する。
【００７０】
以上のように、本実施形態の放送制御装置は、所定の期間内に複数の音声情報が入力された場合には、複数の音声情報からいずれかの音声情報を選択する優先放送設定部を備え、前記テーブルは、前記放送エリアと、所定のキーワードと、優先して音声情報を送信する度合いを示す優先度と対応づけたテーブルであり、前記優先放送決定部は、検索されたキーワードが前記テキスト情報に含まれるときには、そのキーワードに対応する優先度に基づき、複数の音声情報からいずれかの音声情報を選択し、前記送信制御部は、選択された音声情報の前記テキスト情報に検索されたキーワードが含まれるときには、そのキーワードに対応する放送エリアに基づき、選択された音声情報を送信する送信先を選択する。
【００７１】
第２実施形態の放送制御装置によれば、放送制御装置が複数の音声情報を受信した場合に、受信した音声情報の内容に基づき、いずれかの音声情報を選択して、その音声情報を送信することができるので、複数の音声情報をほぼ同じタイミングで受信した場合であっても、音声情報の内容を踏まえた上で簡易に音声情報を選択することが可能となる。
【００７２】
上記の実施形態では、テーブルには予め優先度が設定されている。これに限らず、音声情報の内容に基づき、テーブルの優先度を変更してもよい。具体的には、優先放送決定部１９は、音声情報が変換されたテキスト情報に、テーブルに設定されたキーワードのうち、同一のキーワードが複数含まれると判定した場合には、そのキーワードに対応づけられた優先度を増加させる。
【００７３】
一例として、テキスト情報が「教員室、教員室への連絡。本日の集会は１６時に変更致します。」であったとする。優先放送決定部１９は、テーブルＢに設定された「校長室」、「教員室」、「教室」のうち、「教員室」が２つ含まれると判定した場合、テーブルＢにおいて「教員室」に対応づけられた優先度「３」を増加させ、優先度「４」に変更する。優先放送決定部１９は、テキスト情報に、「教員室」に対応づけられた放送エリアである「スピーカ５」と変更した優先度「４」とを関連づける。
【００７４】
なお、優先度を増加させる値は、同一のキーワードが含まれる回数に応じて優先度を増加してもよく、または含まれる回数がいくつであっても、一律に優先度を増加してもよい。
【００７５】
また、上記の実施形態では、放送制御装置１Bは、操作部１１、切替制御部１３Bを構成として含んでいるが、含まなくてもよい。この場合、受信部１２が受信した音声情報は、テキスト変換部１４、または記録部１７へ供給されてもよい。これらの構成に限らず、上記の実施形態で示した構成はあってもなくてもよい。
【００７６】
また、上記の実施形態では、優先放送決定部１９は、切替制御部１３Bから供給された音声供給情報に基づき、所定の期間内に、複数の音声情報を受信したか否かを判定するとしたがこれには限定されない。優先放送決定部１９は、送信部１８からスピーカへ音声情報を送信している間に、他の音声情報を受信したか否かを判定してもよい。優先放送決定部１９は、他の音声情報を受信したと判定した場合に、他の音声情報のキーワードによる優先度が、送信中の音声情報のキーワードによる優先度よりも大きいときには、送信中の音声情報に代えて、他の音声情報を送信するように制御してもよい。これにより、音声情報が放送中に、他の音声情報を受信した場合に、放送内容をキーワードの優先度に応じて、適時変更することができる。
【００７７】
上記実施形態の信号処理のうちの一部又は全部は、コンピュータプログラムによって実行されてもよい。上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ)、ＥＰＲＯＭ（Ｅｒａｓａｂｌｅ  ＰＲＯＭ)、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００７９】
１４  テキスト変換部
１５  キーワード検索部
１６，１６B  送信制御部
１７  記憶部
【図１】
2020022043.tif 000003
【図２】
2020022043.tif 000004
【図３】
2020022043.tif 000005
【図４】
2020022043.tif 000006
【図５】
2020022043.tif 000007
【図６】
2020022043.tif 000008